(57)【特許請求の範囲】
【請求項１】
印写ヘッドおよび給紙用モータの駆動を制御するＣＰＵと、外部交流電源からの交流電力を整流して前記給紙用モータの駆動用の電圧値の直流電力を該給紙用モータを含む基本回路系に供給する整流回路と、前記整流回路の出力直流電力を前記印写ヘッドの駆動用の第１の電圧値の直流電力に変換して該印写ヘッドを含む第１部分回路系に供給する第１変換回路と、前記整流回路の出力直流電力を前記ＣＰＵの駆動用の第２の電圧値の直流電力に変換して該ＣＰＵを含む第２部分回路系に供給する第２変換回路とを備えた印写装置において、
前記整流回路と前記給紙用モータとの間に接続されて、前記基本回路系に供給される電流値の増大に伴い減少する電流値を検出した第１検出信号を出力する第１検出手段と、
前記第１変換回路と前記印写ヘッドへとの間に接続されて、前記第１部分回路系に供給される電流値の増大に伴い減少する電流値を検出した第２検出信号を出力する第２検出手段と、
前記整流回路の出力電力を遮断する過電流保護手段とを備え、
前記ＣＰＵは、
前記第１検出手段から出力中の第１検出信号が予め設定された第１閾値以下になったか否かの判別と前記第２検出手段から出力中の第２検出信号が予め設定された第２閾値以下になったか否かの判別とを常時繰り返す監視制御機能と、
前記監視制御機能が第１または第２検出信号のいずれか一方が第１または第２閾値以下になったと判別したときに、閾値以下の検出信号を出力した前記検出手段が接続されている前記回路系を短絡発生箇所と特定した異常発生情報を生成して外部機器へ向け送出する異常箇所判別制御機能と、
前記異常箇所判別制御機能が短絡発生箇所を特定した時点から所定時間の計時を開始して、該異常箇所判別制御機能が異常発生情報を外部機器へ送出し終えるのに必要な前記所定時間を計時し終えたときに前記電力遮断手段を遮断状態に制御する電力遮断制御機能とを有していることを特徴とする印写装置。
【請求項２】
前記第１および第２変換回路はそれぞれ、入力電圧が第１の電圧値および第２の電圧値未満まで降下しない限り第１の電圧値および第２の電圧値を定電圧出力する構成を有し、  前記第１および第２検出手段はそれぞれ、少なくとも２つの抵抗が直列接続されて該各抵抗の接続点の電圧値を検出信号として出力する分圧回路であり、
前記過電流保護手段は、前記整流回路の出力部に介挿接続されたヒューズと、前記電力遮断制御機能によりオンされて前記整流回路から前記ヒューズにこれの定格電流を越える電流を流すスイッチング素子とからなる請求項１記載の印写装置。
【請求項３】
請求項１又は２記載の印写装置と、該印写装置のＣＰＵに接続されたコンピュータとを備え、前記コンピュータは、前記ＣＰＵに印写情報および印写命令を送出して印写処理を行わせるとともに、該印写装置から送出された異常発生情報に基づいて異常発生箇所および故障内容を少なくとも含む情報を画面表示することを特徴とする印写システム。
【請求項４】
前記コンピュータは、前記異常発生情報を記録する記録手段を備える請求項３記載の印写システム。
【発明の詳細な説明】
【０００１】
【発明の属する技術分野】
本発明は、コンピュータに異常発生を表示させる印写装置及び該印写装置とこれに接続されたコンピュータとを備える印写システムに関する。
【０００２】
【従来の技術】
印写装置は、接続されたコンピュータから送信される印写命令と文書又は画像、フォント、及び用紙サイズ等の印写情報とを受け、該印写命令及び印写情報に基づいて、用紙を送るためのモータ、印写ヘッドを移動させるためのモータ、及び印写ヘッドを駆動することによって、所要の印写を行うようになされている。
【０００３】
このような印写装置は、ＣＰＵと、前記モータを駆動するためのモータ駆動回路と、前記印写ヘッドを駆動するための印写ヘッド駆動回路とを備えており、前記ＣＰＵによってモータ駆動回路及び印写ヘッド駆動回路を制御してモータ及び印写ヘッドに所要の動作をさせるようになっている。
【０００４】
また印写装置は、外部の交流電源からの交流を整流し、例えば３０Ｖの直流へ変換する整流回路、該整流回路から出力される３０Ｖの直流を１２Ｖ及び５Ｖの直流へ夫々変換する第１及び第２変換回路を備えており、該整流回路から出力される直流を前記モータ駆動回路によって所要の電力へ変換してモータへ供給し、前記第１変換回路から出力される直流を前記印写ヘッド駆動回路によって所要の電力へ変換して印写ヘッドへ供給し、前記第２変換回路から出力される直流によって前記ＣＰＵを駆動するようになっている。
【０００５】
また上述したような印写装置では、各種異常が発生した場合に、作業者に異常を通知して注意を促す必要があり、異常を検出し、内蔵している表示パネル、コンピュータのディスプレイ等に前記異常の発生を表示するようになされている。
【０００６】
特開平２−３０１８１８号公報には、複数の異常が発生した場合に、最先に発生した異常又は最も優先して解決すべき異常を表示パネルに表示し、該異常が解決された場合には、次に発生した異常又は次に優先して解決すべき異常をパネルに表示して、複数の異常の発生に対処する印写装置が開示されている。
【０００７】
また、特開平２−３０３８７７号公報には、複数種類の異常を判別する異常監視装置を備え、異常が発生した場合に、該異常の種類に対応した異常情報を前記異常監視装置が生成し、該異常情報を受け、異常情報に対応した周期的なパルス信号をパルス発生器が発生し、該パルス信号によってＬＥＤが点灯、消灯を繰り返すことによって、１つのＬＥＤで複数種類の異常内容を表示することができる印写装置が開示されている。
【０００８】
また、特開平３−２６５８３号公報には、内蔵する液晶表示パネルに、発生した異常の詳細な内容と、その復旧方法とによってなるメッセージを１文字づつシフトしながら表示させることにより、表示文字数が限られた液晶表示パネルに１度に表示することができないメッセージを表示させることが可能な印写装置が開示されている。
【０００９】
また、特開平４−８２７７２号公報には、印写装置の運転状態毎に閾値を定め、内蔵する電流検出器が検出した結果が前記閾値を超えた場合に、過電流保護手段を作動させて電源からの電力供給を停止することにより、運転状態によって変化する負荷電流値に応じた保護を可能とし、装置の信頼性の向上を図った印写装置が開示されている。
【００１０】
また、特開平４−７８５６２号公報には、モータ、印写ヘッドのヒータ等の各負荷に夫々供給される電流値を夫々検出し、検出した各電流値と夫々の負荷毎に定められた正常電流値とを比較し、各負荷毎に異常の発生を個別に判定して、異常が発生している負荷を特定することが可能な印写装置が開示されている。
【００１１】
【発明が解決しようとする課題】
しかしながら、上述の如き従来の印写装置では、コンピュータのディスプレイに表示される異常は、用紙切れ、インク切れ、印写装置の電源オフ、印写装置との接続異常等、致命的な異常ではないものであり、短絡が発生して、モータ、印写ヘッド等に過電流が与えられたときには、過電流保護手段によって電力の供給が断たれるため、コンピュータのディスプレイに印写装置の電源オフ又は印写装置との接続異常等のメッセージが表示されるだけであり、故障の原因の究明に時間を要し、迅速に復旧作業を行うことができないという問題があった。
【００１２】
本発明は斯かる事情に鑑みてなされたものであり、短絡事故が発生した場合、短絡事故発生を通知する内容の異常表示をコンピュータのディスプレイに表示させ、復旧作業に迅速に対応することができる印写装置及び印写システムを提供することを目的とする。
【００１３】
【課題を解決するための手段】
第１発明に係る印写装置は、印写ヘッドおよび給紙用モータの駆動を制御するＣＰＵと、外部交流電源からの交流電力を整流して前記給紙用モータの駆動用の電圧値の直流電力を該給紙用モータを含む基本回路系に供給する整流回路と、前記整流回路の出力直流電力を前記印写ヘッドの駆動用の第１の電圧値の直流電力に変換して該印写ヘッドを含む第１部分回路系に供給する第１変換回路と、前記整流回路の出力直流電力を前記ＣＰＵの駆動用の第２の電圧値の直流電力に変換して該ＣＰＵを含む第２部分回路系に供給する第２変換回路とを備えた印写装置において、前記整流回路と前記給紙用モータとの間に接続されて、前記基本回路系に供給される電流値の増大に伴い減少する電流値を検出した第１検出信号を出力する第１検出手段と、前記第１変換回路と前記印写ヘッドへとの間に接続されて、前記第１部分回路系に供給される電流値の増大に伴い減少する電流値を検出した第２検出信号を出力する第２検出手段と、前記整流回路の出力電力を遮断する過電流保護手段とを備え、前記ＣＰＵは、前記第１検出手段から出力中の第１検出信号が予め設定された第１閾値以下になったか否かの判別と前記第２検出手段から出力中の第２検出信号が予め設定された第２閾値以下になったか否かの判別とを常時繰り返す監視制御機能と、前記監視制御機能が第１または第２検出信号のいずれか一方が第１または第２閾値以下になったと判別したときに、閾値以下の検出信号を出力した前記検出手段が接続されている前記回路系を短絡発生箇所と特定した異常発生情報を生成して外部機器へ向け送出する異常箇所判別制御機能と、前記異常箇所判別制御機能が短絡発生箇所を特定した時点から所定時間の計時を開始して、該異常箇所判別制御機能が異常発生情報を外部機器へ送出し終えるのに必要な前記所定時間を計時し終えたときに前記電力遮断手段を遮断状態に制御する電力遮断制御機能とを有していることをことを特徴とする。
【００１４】
第２発明に係る印写装置は、第１発明に係る印写装置において、前記第１および第２変換回路がそれぞれ、入力電圧が第１の電圧値および第２の電圧値未満まで降下しない限り第１の電圧値および第２の電圧値を定電圧出力する構成を有し、  前記第１および第２検出手段がそれぞれ、少なくとも２つの抵抗が直列接続されて該各抵抗の接続点の電圧値を検出信号として出力する分圧回路であり、前記過電流保護手段が、前記整流回路の出力部に介挿接続されたヒューズと、前記電力遮断制御機能によりオンされて前記整流回路から前記ヒューズにこれの定格電流を越える電流を流すスイッチング素子とからなることを特徴とする。
【００１５】
第３発明に係る印写システムは、第１発明又は第２発明に係る印写装置と、該印写装置のＣＰＵに接続されたコンピュータとを備え、前記コンピュータは、前記ＣＰＵに印写情報および印写命令を送出して印写処理を行わせるとともに、該印写装置から送出された異常発生情報に基づいて異常発生箇所および故障内容を少なくとも含む情報を画面表示することを特徴とする。
【００１６】
第４発明に係る印写システムは、第３発明に係る印写システムにおいて、前記コンピュータは、前記異常発生情報を記録する記録手段を備えることを特徴とする。
【００１７】
第１発明に係る印写装置による場合は、基本回路系または第１部分回路系のいずれかに短絡が発生して過電流が流れると、その回路系に接続されている検出手段へ流れる電流が減少するので、その減少した電流値を検出手段が検出して検出信号をＣＰＵに送出するので、ＣＰＵが入力する検出信号が閾値以下になったと判別したときに、当該検出信号が送出された検出手段が接続されている回路系を短絡発生箇所と特定した異常発生情報を生成して外部機器に対し送出する。したがって、保守点検を行う作業者は、外部機器に送出された異常発生情報に基づいて短絡発生箇所を即座に知ることができるから、復旧作業を迅速に行うことが可能となる。また、ＣＰＵが異常の発生と判別したときに電力供給を即座に遮断する従来の過電流保護手段とは異なり、異常発生情報を送出し終えるのに必要な所定時間が経過した時点で電力供給を遮断するので、異常発生情報が外部機器に確実に送出されるととも、更に安全性を向上させることができる。一方、第３発明に掛かる印写システムによる場合は、情異常発生情報がコンピュータに表示されるので、保守点検の作業者は、画面表示によって異常発生箇所および故障内容などを視認により即座に確認することができる。
【００１８】
第２発明に係る印写装置による場合は、第１および第２検出手段がそれぞれ、対応する回路系に発生した短絡を簡単な構成で確実に検出することができ、一方、過電流保護手段が、簡単な構成により電力供給を確実に遮断することができ、第１発明に係る印写装置を安価な構成で容易に具現化することができる。
【００１９】
第４発明に係る印写システムによる場合は、例えば、接続されたコンピュータによりフレキシブルディスクに故障内容を記録させることによって、製造者が該フレキシブルディスクを回収し、記録された内容を調べてどの様な故障であるかを知ることができるから、故障箇所及び故障内容を調べるために印写装置を分解する必要がなく、製造者が迅速に故障に対応することが可能となる。
【００２０】
【発明の実施の形態】
実施の形態１
以下本発明をその実施の形態を示す図面に基づいて詳述する。図１は本発明に係る印写システムの実施の形態１の要部の構成を示す模式図である。
【００２１】
図１において、１００は印写装置である。印写装置１００はパラレル端子、ＵＳＢ端子等のインタフェース端子１０１を備えており、該インタフェース端子１０１とコンピュータ２００が備えるインタフェース端子２０１とを接続することにより、前記コンピュータ２００と接続されている。
【００２２】
コンピュータ２００は、内蔵するハードディスク２０２内に印写装置１００を駆動するためのドライバプログラムを記憶してある。該ドライバプログラムは、同じくハードディスク１０２内に記憶されているアプリケーションプログラムから指定された文書、画像等を指定されたフォント、用紙サイズ等によって印写すべく出力された印写情報を受け取り、印写命令と共に前記インタフェース端子２０１から出力する。
【００２３】
図２は本発明に係る印写装置１００の実施の形態１の要部の構成を示すブロック図である。図２において、１はＣＰＵであり、１１は該ＣＰＵに前記印写命令及び印写情報に基づいて各部を制御させ、印写処理を行わせるためのプログラムが格納されているＲＯＭである。印写装置１００は、外部の交流電源Ｓからの交流を例えば３０Ｖの直流に整流する整流回路４１、該整流回路４１が出力した直流を１２Ｖの直流へ変換する第１ＤＣ／ＤＣコンバータ４２、及び同様に５Ｖの直流へ変換する第２ＤＣ／ＤＣコンバータ４３を備えている。また、印写装置１００の整流回路４１の出力端子近傍には、該出力端子側から順にヒューズ７及びＮＰＮ型のトランジスタ８のコレクタが接続されており、該トランジスタ８のエミッタは接地され、ベースはＣＰＵ１に接続されている。
【００２４】
第１ＤＣ／ＤＣコンバータ４２及び第２ＤＣ／ＤＣコンバータ４３は、夫々整流回路４１が出力した直流が１２Ｖ又は５Ｖよりも低い電圧にならない限り１２Ｖ及び５Ｖの定電圧直流を供給する。
【００２５】
前記ＣＰＵ１は第２ＤＣ／ＤＣコンバータ４３から出力される直流によって駆動せしめられる。ＣＰＵ１はＡＤコンバータ６１を介して前記インタフェース端子１０１と接続されており、前記印写命令及び印写情報を受けて、印写装置１００が内蔵する印写ヘッドＨ及びステッピングモータＭを駆動すべく、接続された印写ヘッド駆動回路３１及びパルス発生回路２へ制御信号を出力するようになっている。
【００２６】
パルス発生回路２は前記制御信号に基づいてモータ駆動回路３へ相分配パルス信号を出力する。モータ駆動回路３は複数のスイッチング素子を有しており、前記相分配パルス信号に基づいてスイッチング素子をオン／オフし、前記整流回路４１から出力された直流電流を所要の波形を有する電流へ変換し、ステッピングモータＭへ供給するようになっている。
【００２７】
印写ヘッド駆動回路３１は前記第１ＤＣ／ＤＣコンバータ４２が出力する直流電圧を所要の波形を有する電圧へ変換し、噴射ノズルから所要のインク粒を噴射させるように、印写ヘッドＨへ印加するようになっている。
【００２８】
また、整流回路４１及びモータ駆動回路３は分圧回路５１を介して接続されており、第１ＤＣ／ＤＣコンバータ４２及び印写ヘッド駆動回路３１は分圧回路５２を介して接続されている。分圧回路５１は、抵抗Ｒ1 ，Ｒ2 を直列に接続してあり、抵抗Ｒ1 側の端部を整流回路４１及びモータ駆動回路３の間に接続し、抵抗Ｒ2 側の端部を接地し、中間節点を出力端子としており、該出力端子はＡＤコンバータ６２を介してＣＰＵ１へ接続されている。同様に分圧回路５２は、抵抗Ｒ3 ，Ｒ4 を直列に接続してあり、抵抗Ｒ3 側の端部を第１ＤＣ／ＤＣコンバータ４２及び印写ヘッド駆動回路３１の間に接続し、抵抗Ｒ4 側の端部を接地し、中間節点を出力端子としており、該出力端子はＡＤコンバータ６３を介してＣＰＵ１へ接続されている。
【００２９】
以下では、整流回路４１から出力される３０Ｖの直流が直接与えられている部分を基本回路、第１ＤＣ／ＤＣコンバータ４２から出力される１２Ｖの直流が与えられている部分を第１部分回路、第２ＤＣ／ＤＣコンバータ４３から出力される５Ｖの直流が与えられている部分を第２部分回路という。
【００３０】
基本回路の一部、例えばモータ駆動回路３に短絡が発生したとき、モータ駆動回路３へ電流が集中して流れ、このことにより、他の部分へ供給される電流が減少する。従って、分圧回路５１へ流れる電流も減少し、分圧回路５１の出力端子から検出される電圧値Ｖ51も減少する。このとき、第１及び第２ＤＣ／ＤＣコンバータ４２，４３側へ与えられる電流も減少するが、第１及び第２ＤＣ／ＤＣコンバータ４２，４３の夫々の入力側の電圧が１２Ｖ及び５Ｖ未満まで降下しない限り、第１及び第２ＤＣ／ＤＣコンバータ４２，４３からは夫々１２Ｖ及び５Ｖの定電圧が供給される。
【００３１】
同様に、第１部分回路の一部、例えば印写ヘッド駆動回路３１に短絡が発生したとき、印写ヘッド駆動回路３１へ電流が集中して流れ、このことにより、他の部分へ供給される電流が減少する。従って、分圧回路５２へ流れる電流も減少し、分圧回路５２の出力端子から検出される電圧値Ｖ52も減少する。
【００３２】
また、第２基本回路の一部に短絡が発生したときには、ＣＰＵ１を駆動することができず、印写装置の機能は停止することとなる。
【００３３】
分圧回路５１の出力電圧値Ｖ51が予め定められた閾値Ｔ1 よりも低い場合、ＣＰＵ１は前記基本回路に短絡が発生したと判断し、基本回路の異常発生を表す異常発生情報をコンピュータ２００へ送出する。
【００３４】
同様に、分圧回路５２の出力電圧値Ｖ52が予め定められた閾値Ｔ2 よりも低い場合、ＣＰＵ１は前記第１部分回路に短絡が発生したと判断し、第１部分回路の異常発生を表す異常発生情報をコンピュータ２００へ送出する。
【００３５】
図３は、異常表示画面の一例を示す模式図である。異常発生情報を受けたコンピュータ２００は、前述したドライバプログラムによって、図３に示すような夫々の異常発生情報に対応する異常表示画面をディスプレイに表示する。
【００３６】
また、印写装置１００は、異常発生情報をコンピュータ２００へ送出してから所定時間経過後、トランジスタ８のベースへ所定の電圧を印加し、トランジスタ８を導通状態とする。このとき、整流回路４１からヒューズ７へとヒューズ７の定格電流を越える電流が所定時間流れ、ヒューズ７の溶断部が溶断して電流を遮断する。
【００３７】
図４は、ＣＰＵ１の短絡検出の処理手順を示すフローチャートである。分圧回路５１，５２夫々の出力電圧値Ｖ51，Ｖ52を入力し（ステップＳ１）、分圧回路５１の出力電圧値Ｖ51が閾値Ｔ1 未満であるか否かを調べ（ステップＳ２）、出力電圧Ｖ51が閾値Ｔ1 以上である場合は、出力電圧値Ｖ52が閾値Ｔ2 未満であるか否かを調べ（ステップＳ３）、出力電圧Ｖ52が閾値Ｔ2 以上である場合は、ステップＳ１に戻る。
【００３８】
ステップＳ２において、出力電圧値Ｖ51が閾値Ｔ1 未満である場合、前述した基本回路の短絡発生を表す異常発生情報をコンピュータ２００へ送出し（ステップＳ４）、コンピュータ２００のディスプレイに異常表示画面を表示させる時間を計時するタイマを作動させる（ステップＳ５）。
【００３９】
タイマによって計時された時間が所定時間に達しているか否かを調べ（ステップＳ６）、所定時間に達していない場合はステップＳ６の処理を繰り返し、所定時間に達した場合はトランジスタ８を導通させるために、ベースに所定の電圧を印加し（ステップＳ７）、処理を終了する。
【００４０】
また、ステップＳ３において、出力電圧値Ｖ52が閾値Ｔ2 未満である場合、前述した第１部分回路の短絡発生を表す異常発生情報をコンピュータ２００へ送出し（ステップＳ８）、ステップＳ５へ処理を移す。
【００４１】
なお、ヒューズ７は他の遮断装置であってもよく、分圧回路５１，５２は他の電流検出装置であってもよい。また、ヒューズ７及びトランジスタ８を備えていなくてもよい。
【００４２】
以上の如き構成により、基本回路又は第１部分回路に短絡が発生した場合は、短絡発生箇所へ過電流が流れ、分圧回路５１，５２の出力電圧が減少し、これをＣＰＵ１が検出し、異常発生情報をコンピュータ２００へ送出してこれに対応した異常表示画面をディスプレイに表示する。このことによって、作業者に異常発生を即座に通知することができる。
【００４３】
また、ディスプレイに表示する異常表示画面に、故障内容、処置の方法、連絡先等を記載することによって、適切な復旧処置を施すことができる。
【００４４】
また、異常が発生したとき、異常表示画面を表示した後にヒューズ７を動作させて電源を遮断するため、作業者に異常発生を通知するだけでなく、装置の保護、安全の確保等が可能となる。
【００４５】
実施の形態２
図５は本発明に係る印写システムの実施の形態２の要部の構成を示すブロック図である。
【００４６】
図において、２０３はコンピュータ２００が内蔵するフレキシブルディスクドライブである。印写装置の一部に短絡が発生した場合、ＣＰＵ１によってコンピュータ２００へ異常発生情報が送出される。該異常発生情報には、異常が発生した部分、故障内容等の情報が含まれており、異常発生情報を受けたコンピュータ２００は、ドライバプログラムによって異常発生箇所、故障内容等の情報を前記フレキシブルディスクドライブ２０３に挿入されたフレキシブルディスクに書き込むようになっている。その他、実施の形態１と同様の部分については同符号を付し、説明を省略する。
【００４７】
なお、フレキシブルディスクドライブ２０３は他の記録装置であってもよい。
【００４８】
以上の如き構成により、異常発生箇所、故障内容などの情報が書き込まれたフレキシブルディスクによって製造者が容易に故障箇所を特定し、迅速に修理をおこなうことが可能となる。
【００４９】
【発明の効果】
以上詳述した如く、第１発明に係る印写装置及び第３発明に係る印写システムによる場合は、印写装置に短絡故障が発生し、印写装置の内部に過大な電流が与えられたとき、第１及び／又は第２検出手段によって検出される電流値が定格電流よりも大きいことから前記短絡故障の発生を検出し、短絡故障発生を作業者に通知するための異常表示をコンピュータのディスプレイに表示するから、短絡事故発生を確実に作業者に通知でき、安全性を従来に比して向上させることが可能となる。
【００５０】
第２発明に係る印写装置による場合は、コンピュータのディスプレイに異常表示を行った後、過電流保護手段によって電力供給を断つため、一層安全性を向上させることが可能となる。
【００５１】
第４発明に係る印写システムによる場合は、印写装置に発生した異常内容を含む異常発生情報を記録手段に記録することによって、製造者が前記記録手段に記録された異常発生情報を調べて印写装置に発生した異常を知ることができ、修理を迅速に行うことが可能となる等本発明は優れた効果を奏する。
【図面の簡単な説明】
【図１】  本発明に係る印写システムの実施の形態１の要部の構成を示す模式図である。
【図２】  本発明に係る印写装置の実施の形態１の要部の構成を示すブロック図である。
【図３】  異常表示画面の一例を示す模式図である。
【図４】  ＣＰＵの短絡検出の処理手順を示すフローチャートである。
【図５】  本発明に係る印写システムの実施の形態２の要部の構成を示すブロック図である。
【符号の説明】
１  ＣＰＵ
１１  ＲＯＭ
１００  印写装置
２  パルス発生回路
２００  コンピュータ
２０３  フレキシブルディスクドライブ
３  モータ駆動回路
３１  印写ヘッド駆動回路
４１  整流回路
４２  第１ＤＣ／ＤＣコンバータ
４３  第２ＤＣ／ＤＣコンバータ
５１，５２  分圧回路
７  ヒューズ
Ｈ  印写ヘッド
Ｍ  モータ
【図１】
0004507313.tif 000002
【図２】
0004507313.tif 000003
【図３】
0004507313.tif 000004
【図４】
0004507313.tif 000005
【図５】
0004507313.tif 000006